(57)【要約】【課題】  点滴や採血等の医療処置を受ける際、患者に苦痛や羞恥心を与えず、さらには介護や看護する側への負担を軽減することができる介護用衣服を提供すること。【解決手段】  展開時、平布状に形成される介護用衣服であって、かかる介護用衣服の接合部分に、スライドファスナーを設置したことを特徴とする。また、前記スライドファスナーは、一対のスライダーが、務歯上を互いに離れる方向へスライドすることにより務歯を開口する。【選択図】  図１
2005307414.tif 000002
【特許請求の範囲】
【請求項１】
展開時、平布状に形成される介護用衣服であって、かかる介護用衣服の接合部分に、スライドファスナーを設置したことを特徴とする介護用衣服。
【請求項２】
前記スライドファスナーは、一対のスライダーが、務歯上を互いに離れる方向へスライドすることにより務歯を開口する請求項１記載の介護用衣服。
【発明の詳細な説明】
【技術分野】
【０００１】  本発明は、衣服装着時においても、容易に医療行為を受けることができる介護用衣服に関する。
【背景技術】
【０００２】  従来、患者が勝手にあけることができず、鍵をかけたという実感がなく、患者には不安感を与えず、肉親等には看護上の安心感を与えることができる介護用衣服のスライドファスナがある（例えば、特許文献１参照）。
【特許文献１】実開平６−６６３２０号公報（第１−２頁、図１、図２）
【発明の開示】
【発明が解決しようとする課題】
【０００３】  上掲特許文献１の介護用衣服のスライドファスナは、介護用衣服の開閉部に装着される左右一対のテープと、前記両テープの内端縁に所定ピッチで設けられた務歯と、前記務歯を交互に噛合して介護用衣服を開閉させるスライダと、前記スライダに保存されスプリングの付勢力で傾動して前記務歯に係止する突部と、この突部が前記務歯から離脱する方向に押圧される解除部とを有する可動片と、前記スライダと係脱自在に形成され前記可動片に設けた解除部に係止させる装着片を有する引手とを備えたことを特徴とする。そのため、スライダを持っても患者が勝手に衣服をあけることができず、引手を携帯した介護人のみが必要時にあけることができる等の効果を有する。しかしながら上記構造では、着衣した状態で点滴や採血を受ける場合、袖を捲り上げるか、若しくはファスナを治療する個所まで移動し肌を露出させなければならず、患者に羞恥心や苦痛を与えてしまうという欠点があった。また、介護や看護する側においても煩わしさを伴うという問題も生じた。【０００４】  そこで本発明は、上記した従来技術の問題点を解消し、点滴や採血等の医療処置を受ける際、患者に苦痛や羞恥心を与えず、さらに介護や看護する側への負担を軽減することができる介護用衣服を提供することにある。
【課題を解決するための手段】
【０００５】  上記課題を解決するために、本発明の介護用衣服は、展開時、平布状に形成される介護用衣服であって、かかる介護用衣服の接合部分に、スライドファスナーを設置したことを特徴とする。また特に、前記スライドファスナーは、一対のスライダーが、務歯上を互いに離れる方向へスライドすることにより務歯を開口することを特徴とする。
【発明の効果】
【０００６】  介護用衣服の接合部分に、一対のスライダーが、務歯上を互いに離れる方向へスライドすることにより務歯を開口するスライドファスナーを設置することで、例えば点滴等を受ける際、衣服を装着したままでスライダーを互いに離れる方向にスライドさせることにより、必要の長さだけの開口部が形成され、その開口部から医療処置を受けることができる。そのため、患者に羞恥心や苦痛を与えず、さらには介護や看護人への煩わしさを軽減することができる。
【発明を実施するための最良の手段】
【０００７】  以下、本発明における介護用衣服の実施の形態を図面に基づいて説明する。
図示する介護用衣服１は、点滴や採血等の医療行為を受ける際、患者に苦痛や羞恥心を与えず、さらに介護や看護する側への負担を軽減することができるものである。また、前記介護用衣服１は、展開時に平布状に形成され、それぞれの接合部分にスライドファスナー１０を設置したことを特徴とする。
【０００８】  前記介護用衣服１は、図２の（ａ）に示すように、接合部分を互いに接合させることにより、汎用の介護用衣服が形成される。また、それぞれの接合部分にはスライドファスナー１０が装着されている。前記スライドファスナー１０は、前身ごろ２の接合部分ａに、また、両袖３から胸部４にかけての接合部分ｂにそれぞれ設置されている。そのため、スライドファスナー１０の務歯状態を解除させることで、（ｂ）に示すように、一枚の平布状に展開させることができる。なお、胸部４の接合部分ｃには、汎用の面ファスナー２０が設置されている。
【０００９】  また図１に示すように、前記スライドファスナー１０の構造を、一対のスライダー１１、１１′が、務歯１２上を互いに離れる方向へスライドする状態に設けることが好ましい。前記スライダー１１、１１′を互いに離れる方向へスライドさせることで、務歯１２上に任意の幅の開口部７を形成することができる。そのことにより、腕や肩、また腹部に治療処置を施す際、務歯１２上の開口部７より容易におこなうことができる。
【００１０】  また、本発明の介護用衣服を、図３の（ａ）（ｂ）に示すように、ズボン状に形成してもよい。かかる介護用衣服１′は、接合部分を互いに接合させることにより、汎用の介護用ズボンを形成することができる。また、それぞれの接合部分にはスライドファスナー１０が装着されている。前記スライドファスナー１０は、腹部５から裾６までの接合部分ｄに、それぞれ対称状態に一対設けられている。そのため、スライドファスナー１０の務歯状態を解除させることにより、（ｂ）に示すように、一枚の平布状に展開させることができる。また、腹部５の接合部分ｅには、汎用の面ファスナー２１が設置されている。なお、前記スライドファスナー１０の構造を、一対のスライダー１１、１１′が、務歯１２上を互いに離れる方向へスライドする状態に設けることが好ましい。そのことにより、下腹部や脚部に医療処置を施す際、務歯１２上の開口部７より尿管やドレンパイプ等を挿入することができる。
【００１１】  次に、本発明の介護用衣服の使用方法を図４に基づいて説明する。
患者が腕に点滴を受ける際、先ず、介護用衣服１を着衣した状態で一対のスライダー１１、１１′を点滴を施す個所まで移動させる。次に、スライダー１１、１１′を務歯１２上で互いに離れる方向へ任意の幅にスライドさせる。すると、務歯１２上に適宜幅の開口部７が形成されるので、かかる開口部７より通常のように点滴を施す。また、点滴が終了したら、スライダー１１、１１′を戻して開口部７を閉じる。
【００１２】  また、下半身の治療においては、ズボン状に形成された介護用衣服１′を装着し、スライダー１１、１１′を操作しながら開口部７から医療処置を受ける。そのことにより、患者への羞恥心や苦痛が解消され、さらには、介護や看護人への煩わしさも軽減することができる。
【図面の簡単な説明】
【００１３】
【図１】本発明の介護用衣服の全体斜視図である。
【図２】（ａ）は前記介護用衣服の正面図、（ｂ）は展開状態の正面図である。
【図３】（ａ）はズボンの斜視図、（ｂ）は展開状態の斜視図である。
【図４】本発明の介護用衣服の使用状態である。
【符号の説明】
【００１４】１  介護用衣服
２  前身ごろ
３  両袖
４  胸部
５  腹部
６  裾
７  開口部
１０  スライドファスナー
１１  スライダー
１２  務歯
２０  面ファスナー
２１  面ファスナー
【図１】
2005307414.tif 000003
【図２】
2005307414.tif 000004
【図３】
2005307414.tif 000005
【図４】
2005307414.tif 000006